(57)【要約】【課題】周辺光に対応して輝度及び／又は彩度を調節して視認性を向上させ、消費電力を低減できる有機電界発光表示装置及びその駆動方法を提供する。【解決手段】本発明は、データ信号、走査信号及び発光制御信号に対応して発光する複数の画素を含む画素部と、周辺光に対応して制御信号を生成する光センサと、前記制御信号に対応してガンマ補正値を設定するガンマ制御部と前記制御信号に対応してデータ信号の色座標を補正する色座標制御部を備える制御部と、走査線に前記走査信号を供給し、前記発光制御部から出力される信号に応じて前記発光制御信号のパルス幅を調節する走査駆動部と、前記色座標制御部で補正されたデータ信号と前記ガンマ制御部から出力されたガンマ補正信号に応じてデータ信号のガンマ値を補正し、複数のデータ線に伝達するデータ駆動部と、前記画素部に電源を供給する電源供給部とを含む。【選択図】図２
2008209886.tif 000002
【特許請求の範囲】
【請求項１】
データ信号、走査信号及び発光制御信号に対応して発光する複数の画素を含む画素部と、
周辺光に対応して制御信号を生成し出力する光センサと、
前記制御信号に対応してガンマ補正値を設定するガンマ制御部と前記制御信号に対応してデータ信号の色座標を補正する色座標制御部を備える制御部と、
走査線に前記走査信号を供給し、前記発光制御部から出力される信号に応じて前記発光制御信号のパルス幅を調節する走査駆動部と、
前記色座標制御部で補正されたデータ信号と前記ガンマ制御部から出力されたガンマ補正信号に応じてデータ信号のガンマ値を補正し、複数のデータ線に伝達するデータ駆動部と、
前記画素部に電源を供給する電源供給部とを含む有機電界発光表示装置。
【請求項２】
前記光センサは、
周辺光に対応するアナログ感知信号をデジタル感知信号に変換するアナログ-デジタル変換器と、
前記１フレーム区間の間に所定の数をカウントし、それに対応するカウント信号を生成するカウンタと、
前記デジタル感知信号と前記カウント信号を用いて、それに対応する制御信号を出力する変換処理部とを含むことを特徴とする請求項１に記載の有機電界発光表示装置。
【請求項３】
前記ガンマ制御部は、
複数のレジスタで形成され、前記周辺光の明るさを複数の段階に分け、各段階に対応して前記複数のレジスタが対応してガンマ補正信号を格納するレジスタ部と、
前記変換処理部により設定された制御信号に対応して前複数のレジスタの何れかを選択して選択されたレジスタに格納されたガンマ補正信号が出力されるようにする第１選択部とを含むことを特徴とする請求項１に記載の有機電界発光表示装置。
【請求項４】
前記ガンマ制御部は、
前記ガンマ制御部のオン、オフを制御する第２選択部をさらに含むことを特徴とする請求項３に記載の有機電界発光表示装置。
【請求項５】
前記データ駆動部は、前記ガンマ補正信号の入力を受けてガンマ補正を行うガンマ補正回路をさらに含むことを特徴とする請求項１に記載の有機電界発光表示装置。
【請求項６】
前記ガンマ補正回路は、
レジスタ設定ビットに応じて上位レベルの階調電圧と下位レベルの階調電圧を調節する振幅調節レジスタと、
レジスタ設定ビットに応じて中間レベルの階調電圧を選択し、ガンマカーブを調節するカーブ調節レジスタと、
前記振幅調節レジスタに設定されたレジスタ設定ビットに応じて前記上位レベルの階調電圧を選択する第１選択器と、
前記振幅調節レジスタに設定されたレジスタ設定ビットに応じて前記下位レベルの階調電圧を選択する第２選択器と、
前記カーブ調節レジスタに設定されたレジスタ設定ビットに応じて前記中間レベルの階調電圧をそれぞれ出力する第３〜第６選択器と、
表示しようとする複数の階調に対応する複数の階調電圧を出力する階調電圧増幅器とを含むことを特徴とする請求項５に記載の有機電界発光表示装置。
【請求項７】
前記色座標制御部は、輝度成分を格納する輝度ルックアップテーブルと彩度成分を格納する彩度ルックアップテーブル及び前記周辺光に対応して前記輝度ルックアップテーブルと前記彩度ルックアップテーブルにより色座標を調節し、データ信号を補正する演算部を含むことを特徴とする請求項１に記載の有機電界発光表示装置。
【請求項８】
前記色座標制御部は、周辺光の明るさが所定値以下であれば、既に設定された色座標によりデータ信号が生成されるようにすることを特徴とする請求項７に記載の有機電界発光表示装置。
【請求項９】
前記色座標制御部は、周辺光の明るさが所定値以上であれば、前記演算部によりデータ信号が補正されるようにすることを特徴とする請求項７に記載の有機電界発光表示装置。
【請求項１０】
前記ガンマ制御部は複数のレジスタを含み、前記演算部により補正されたデータ信号は前記複数のレジスタの何れかによりガンマ補正されることを特徴とする請求項１に記載の有機電界発光表示装置。
【請求項１１】
画素部に流れる電流により発光する発光表示装置駆動方法において、
周辺光の明るさに対応してデータ信号の色座標を調節して補正する段階と、前記補正されたデータ信号のガンマを補正する段階とを含む有機電界発光表示装置駆動方法。
【請求項１２】
前記色座標を調節して補正する段階において、
前記色座標は輝度値と彩度値を有し、前記輝度値と彩度値が変更されることを特徴とする請求項１１に記載の有機電界発光表示装置。
【請求項１３】
前記輝度値と前記彩度値は、前記周辺光に対応して変更範囲が決定されることを特徴とする請求項１２に記載の有機電界発光表示装置。
【請求項１４】
前記ガンマを補正する段階において、
前記周辺光の明るさに応じてガンマ補正値を選択して前記データ信号を補正することを特徴とする請求項１１に記載の有機電界発光表示装置駆動方法。
【発明の詳細な説明】
【技術分野】
【０００１】
本発明は、有機電界発光表示装置に関し、より詳細には、周辺光に対応して輝度及び／又は彩度を調節して視認性を向上させ、消費電力を低減できる有機電界発光表示装置及びその駆動方法に関する。
【背景技術】
【０００２】
近年、陰極線管と比較して重さと体積が小さな各種の平板表示装置が開発されており、平板表示装置は基板上にマトリクス状に複数の画素を配置して表示領域とし、各画素に走査線とデータ線とを連結して画素にデータ信号を選択的に印加してディスプレイする。平板表示装置は、画素の駆動方式によって、パッシブ（Ｐａｓｓｉｖｅ）マトリクス型表示装置と、アクティブ（Ａｃｔｉｖｅ）マトリクス型表示装置とに区分され、解像度、コントラスト、動作速度の観点から単位画素毎に選択して点灯するアクティブマトリクス型が主流となっている。
【０００３】
このような平板表示装置は、パーソナルコンピュータ、携帯電話、ＰＤＡなどの携帯情報端末などの表示装置や各種の情報機器のモニタとして用いられており、液晶パネルを用いたＬＣＤ、有機発光素子を用いた有機発光表示装置、プラズマパネルを用いたＰＤＰなどが知られており、特に、発光効率、輝度及び視野角に優れ、応答速度の速い有機電界発光表示装置が注目されている。
【０００４】
図１は、従来技術に係る有機電界発光表示装置の構造を示す図である。図１を参照して説明すれば、従来技術に係る発光表示装置は、画素部１０、電源供給部３０、走査駆動部４０及びデータ駆動部５０を含んで動作する。
【０００５】
画素部１０は、発光素子(図示せず)をそれぞれ備えるｎ×ｍ個の画素５と、行方向に形成されて走査信号を伝達するｎ個の走査線Ｓ１、Ｓ２、．．．、Ｓｎ及びｎ個の発光制御線Ｅ１、Ｅ２、．．．、Ｅｎ、列方向に形成されてデータ信号を伝達するｍ個のデータ線Ｄ１、Ｄ２、．．．、Ｄｍを含む。画素部１０は、走査信号、発光制御信号及びデータ信号により発光素子(図示せず)を発光させて画像を表示する。
【０００６】
電源供給部３０は、画素部１０に第１電源ＥＬＶｄｄと第１電源ＥＬＶｄｄよりも低い電位を有する第２電源ＥＬＶｓｓを供給して第１電源ＥＬＶｓｓと第２電源ＥＬＶｓｓの電圧差により各画素５０でデータ信号に対応する電流が流れるようにする。
【０００７】
走査駆動部４０は、走査信号を出力して走査線Ｓ１、Ｓ２、．．．、Ｓｎに伝達し、発光制御信号を出力して発光制御線Ｅ１、Ｅ２、．．．、Ｅｎに伝達する手段である。
【０００８】
データ駆動部５０は、データ線Ｄ１、Ｄ２、．．．、Ｄｍと接続されて画素部１０にデータ信号を印加する手段である。
【０００９】
前記のような構成を有する従来の発光表示装置は、周辺の明るさと関係なく、一定の輝度に画素５が発光して、同じ階調を表現する場合、周辺の明るさが暗い場合に表示される画像よりも周辺の明るさが明るい場合に表示される画像の鮮明度が落ちるという問題がある。また、発光表示装置に高輝度に発光する画素５が多い場合、画素部１０に流入する電流が大きくなって、電源供給部３０に負荷がかかり、そのため、電源供給部３０が高出力を有してしまうという問題がある。
【００１０】
前記のように構成される有機電界発光表示装置を携帯電話などの携帯用端末に適用した場合、ユーザは室内と室外とで使用できる。このとき、室内で用いる場合、周辺光が弱いため、ユーザが携帯電話の映像を識別するのに問題がないが、室外で用いる場合、周辺光が強くてユーザが携帯電話の映像を識別するのに問題が生じる。そして、外部光に対応して有機電界発光表示装置の輝度を高める場合、消費電力が増加してバッテリなどを用いて電源の伝達を受ける場合には、長時間の使用ができなくなるという問題がある。
【００１１】
また、有機電界発光表示装置が周辺光の明るさに対応して強い輝度に発光する場合には、消費電力が高くなるという問題の他に眩しさなどにより視認性が低下する恐れがある。
【特許文献１】韓国公開特許第１０−２００４−００１５９１０号
【特許文献２】韓国公開実用実第１９９９−００３０４４１号(出願番号第２０−１９９７−００４３１３３号)
【特許文献３】韓国公開特許第１０−２００５−００９９３０３号
【発明の開示】
【発明が解決しようとする課題】
【００１２】
本発明は、上記従来技術の問題点を解決するためになされたものであって、その目的は、周辺光に対応して輝度及び／又は彩度を調節して視認性を向上させ、消費電力を低減できる有機電界発光表示装置及びその駆動方法を提供することにある。
【課題を解決するための手段】
【００１３】
前記目的を達成するために、本発明の第１の側面は、データ信号、走査信号及び発光制御信号に対応して発光する複数の画素を含む画素部と、周辺光に対応して制御信号を生成し出力する光センサと、前記制御信号に対応してガンマ補正値を設定するガンマ制御部と前記制御信号に対応してデータ信号の色座標を補正する色座標制御部を備える制御部と、走査線に前記走査信号を供給し、前記発光制御部から出力される信号に応じて前記発光制御信号のパルス幅を調節する走査駆動部と、前記色座標制御部で補正されたデータ信号と前記ガンマ制御部から出力されたガンマ補正信号に応じてデータ信号のガンマ値を補正し、複数のデータ線に伝達するデータ駆動部と、前記画素部に電源を供給する電源供給部とを含む有機電界発光表示装置を提供する。
【００１４】
前記目的を達成するために、本発明の第２の側面は、画素部に流れる電流により発光する発光表示装置駆動方法において、周辺光の明るさに対応してデータ信号の色座標を調節して補正する段階と、前記補正されたデータ信号のガンマを補正する段階と、１フレーム区間の間に入力されるビデオデータを加えるフレームデータを生成する段階と、前記フレームデータにより前記画素部に伝達する電流量を制御する段階とを含む 有機電界発光表示装置の駆動方法を提供する。
【発明の効果】
【００１５】
本発明に係る有機電界発光表示装置及びその駆動方法によれば、有機電界発光表示装置において消費電力を低減できるほか、電源供給部のサイズを縮小でき、製造コストを低減できるという効果を奏する。また、コントラストを向上させて視認性を向上させることができる。さらに、周辺光が明るい場合にも表現される映像を容易に認識できる。
【発明を実施するための最良の形態】
【００１６】
以下、添付の図面を参照して、本発明の実施形態について詳細に説明する。
【００１７】
図２は、本発明に係る有機電界発光表示装置の構造を示す構造図である。図２を参照して説明すれば、発光表示装置は、画素部１００、光センサ１５０、制御部２００、電源供給部３００、走査駆動部４００、データ駆動部５００を含む。
【００１８】
画素部１００は、複数の画素１１０が配列され、各画素１１０に発光素子(図示せず)が連結される。そして、行方向に形成されて走査信号を伝達するｎ個の走査線Ｓ１、Ｓ２、．．．、Ｓｎ−１、Ｓｎと、発光制御信号を伝達するｎ個の発光制御信号線Ｅ１、Ｅ２、．．．、Ｅｎ−１、Ｅｎ、列方向に形成されてデータ信号を伝達するｍ個のデータ線Ｄ１、Ｄ２、．．．、Ｄｍ−１、Ｄｍと、画素１１０に第１電源ＥＬＶｄｄを伝達する第１電源線Ｌ１と画素に第２電源ＥＬＶｓｓを伝達する第２電源線Ｌ２が配列される。このとき、第２電源線Ｌ２は等価的に表現されたものであり、画素部１００の全領域に形成されて各画素１１０に電気的に接続され得る。
【００１９】
光センサ１５０は、周辺光を受光し、受光された周辺光の明るさに対応した制御信号を出力して有機電界発光表示装置が周辺光に対応して動作できるようにする。
【００２０】
制御部２００は、ガンマ制御部２１０、発光制御部２２０及び色座標制御部２３０から構成され、ガンマ制御部は光センサから制御信号の伝達を受けて制御信号に応じてガンマ補正信号を生成する。従って、周辺光に対応するガンマ補正信号を生成してガンマ補正回路に伝達する。そして、発光制御部２２０は１フレームに流れる電流の最大値を設定し、１フレームに入力されるデータ信号の和を把握して１フレームに流れる電流値が最大値を超えないようにする。また、色座標制御部２３０は周辺光に対応して色座標を変更し、変更された色座標を有するデータ信号が生成されるようにする。すなわち、赤色データが入力された場合、周辺光に対応して色座標を変更し、赤色がオレンジ色または真紅色を帯びるようにする。
【００２１】
電源供給部３００は、画素部４００に第１電源ＥＬＶｄｄと第２電源ＥＬＶｓｓを伝達して、第１電源ＥＬＶｄｄと第２電源ＥＬＶｓｓの差により各画素でデータ信号に対応する電流が流れるようにする。
【００２２】
走査駆動部４００は画素部１００に走査信号と発光制御信号を印加する手段であって、走査駆動部４００は走査線Ｓ１、Ｓ２、．．．、Ｓｎ−１、Ｓｎと発光信号線Ｅ１、Ｅ２、．．．、Ｅｎ−１、Ｅｎに連結されて走査信号と発光制御信号を画素部１００の特定の行に伝達する。走査信号が伝達された画素１１０にはデータ駆動部３００から出力されたデータ信号が伝達され、発光制御信号が伝達された画素１１０は発光制御信号に対応して画素１１０が発光する。
【００２３】
走査駆動部４００は、走査信号を生成する走査駆動回路と発光制御信号を生成する発光駆動回路とに区分でき、走査駆動回路と発光駆動回路は1つの構成部分に含まれていることもでき、別途の構成部分に分離されることもできる。
【００２４】
走査信号が伝達された画素部１００の特定の行にはデータ駆動部３００から入力されるデータ信号が印加され、発光制御信号にデータ信号に対応する電流が発光素子に伝達されて発光素子の発光により映像が表示される。このとき、全ての行が順次選択されれば、1つのフレームが完成する。
【００２５】
データ駆動部５００は画素部１００にデータ信号を印加する手段であって、赤色、青色、緑色の成分を有するビデオデータの入力を受けてデータ信号を生成する。そして、データ駆動部３００は、画素部１００のデータ線Ｄ１、Ｄ２、．．．、Ｄｍ−１、Ｄｍと連結されて生成されたデータ信号を画素部１００に印加する。また、データ駆動部５００は、ガンマ補正回路部５１０をさらに含む。ガンマ補正回路部５１０は、階調に対する輝度の比を調節して視認性を向上させるものであって、制御部から出力されるデータ信号の伝達を受けて階調電圧を調節して階調に対する輝度の比を調節する。周辺光が強い場合には、階調電圧が高くなるようにし、周辺光が弱い場合には、階調電圧が低くなるようにすれば、視認性が向上し得る。
【００２６】
図３は、本発明に係る有機電界発光表示装置で採用した光センサの一例を示す図である。図３を参照すれば、光センサ１５０は、光感知部１５１、Ａ／Ｄ変換器１５２、カウンタ１５３、変換処理部１５４を含む。
【００２７】
光感知部１５１は周辺光の明るさを測定し、周辺光の明るさを複数の段階に区分して各段階の明るさに対応するアナログ感知信号を出力する。
【００２８】
Ａ／Ｄ変換器１５２は、光感知部１５１から出力されたアナログ感知信号を設定された基準電圧と比較し、それに対応するデジタル感知信号を出力する。例えば、周辺の明るさが最も明るい段階では「１１」の感知信号を出力し、周辺の明るさがやや明るい段階では「１０」の感知信号を出力する。また、周辺の明るさがやや暗い段階では「０１」の感知信号を出力し、周辺の明るさが最も暗い段階では「００」の感知信号を出力する。
【００２９】
カウンタ１５３は外部から供給される垂直同期信号Ｖｓｙｎｃにより一定時間の間に所定の数をカウントして、それに対応するカウント信号Ｃｐを出力する。例えば、２ｂｉｔの２進数値を参照したカウンタ１５３の場合、カウンタ１５３は垂直同期信号Ｖｓｙｎｃが入力される際に「００」に初期化され、その後、クロックＣＬＫ信号を順にシフトしながら、「１１」までの数をカウントする。そして、再びカウンタ１５３に垂直同期信号Ｖｓｙｎｃが入力されれば、初期化状態に再び設定される。このような動作でカウンタ１５３は１フレーム期間の間に「００」から「１１」までの数を順にカウントする。そして、カウントされた数に対応するカウント信号Ｃｐを変換処理部２１４に出力する。
【００３０】
変換処理部１５４は、カウンタ１５３から出力されたカウント信号ＣｐとＡ／Ｄ変換器１５２から出力された感知信号を用いて各レジスタの設定値を選択する制御信号Ｃｓを出力する。すなわち、カウンタ１５３が所定の信号を出力するとき、選択された感知信号に対応する制御信号Ｃｓを出力し、カウンタにより１フレーム区間の間に出力する制御信号Ｃｓを維持する。そして、次のフレームになれば、出力される制御信号Ｃｓをリセットし、再びＡ／Ｄ変換器１５２から出力された感知信号に対応する制御信号Ｃｓを出力して１フレーム間維持する。例えば、変換処理部１５４は周辺光が最も明るい状態であれば、「１１」の感知信号に対応する制御信号Ｃｓを出力し、カウンタ１５３がカウントする１フレーム区間の間に制御信号Ｃｓを維持し、周辺光が最も暗い状態であれば、「００」の感知信号に対応する制御信号Ｃｓを出力し、カウンタ１５３がカウントする１フレーム区間の間に制御信号Ｃｓを維持する。また、周辺光がやや明るい状態、または周辺光がやや暗い状態である場合にも前述した動作と同様、それぞれ「１０」、「０１」の感知信号に対応する制御信号Ｃｓを出力して信号を維持する。
【００３１】
図４は、光センサに採用されたＡ／Ｄ変換器の一例を示す図である。図４を参照して説明すれば、Ａ／Ｄ変換器１５２は、第１乃至第３選択器２１〜２３、第１乃至第３比較器２４〜２６及び加算器２７を含む。
【００３２】
第１乃至第３選択器２１〜２３は、複数の階調電圧ＶＨＩ〜ＶＬＯを生成する複数の抵抗列を通じて分配された複数の階調電圧の入力を受け、それぞれ異なるように設定された２ｂｉｔの設定値に対応する階調電圧を出力してそれを基準電圧ＶＨ〜ＶＬとして定める。
【００３３】
第１比較器２４は、アナログ感知信号ＳＡと第１基準電圧ＶＨとを比較し、その結果を出力する。例えば、アナログ感知信号ＳＡが第１基準電圧ＶＨよりも大きい場合には、「１」を出力し、アナログ感知信号ＳＡが第１基準電圧ＶＨよりも小さい場合には、「０」を出力する。同様の方式で、第２比較器２５はアナログ感知信号ＳＡと第２基準電圧ＶＭとを比較した結果を出力し、第３比較器２６はアナログ感知信号ＳＡと第３基準電圧ＶＬとを比較した結果を出力する。
【００３４】
また、第１乃至第３基準電圧ＶＨ〜ＶＬを可変させることで、同一なデジタル感知信号ＳＤに対応するアナログ感知信号ＳＡの領域を変更させることもできる。
【００３５】
加算器２７は、前記第１乃至第３比較器２４〜２６から出力された結果値を全部加算して２ビットのデジタル感知信号ＳＤとして出力する。
【００３６】
第１基準電圧ＶＨを１Ｖ、第２基準電圧ＶＭを２Ｖ、第３基準電圧ＶＬを３Ｖに定めて、アナログ感知信号ＳＡの電圧値は周辺光が明るいほど大きくなると仮定し、図４に示すＡ／Ｄ変換器を説明すれば、以下の通りである。アナログ感知信号ＳＡが１Ｖよりも小さい場合、第１乃至第３比較器２４〜２６はそれぞれ「０」、「０」及び「０」を出力し、それにより加算器２７は「００」のデジタル感知信号ＳＤを出力する。アナログ感知信号ＳＡが１Ｖと２Ｖの間の場合には、第１乃至第３比較器２４〜２６はそれぞれ「１」、「０」、「０」を出力し、それにより加算器２７は「０１」のデジタル感知信号ＳＤを出力する。同様の方式で、アナログ感知信号ＳＡが２Ｖと３Ｖの間の場合に加算器２７は「１０」のデジタル感知信号ＳＤを出力し、アナログ感知信号ＳＡが３Ｖ以上の場合に加算器２７は「１１」のデジタル感知信号ＳＤを出力する。Ａ／Ｄ変換器はこのような方式で動作して、周辺の明るさを４段階に分けて最も暗い段階では「００」を出力し、やや暗い段階では「０１」を出力し、やや明るい段階では「１０」を出力し、最も明るい段階では「１１」を出力する。
【００３７】
図５は、本発明に係る有機電界発光表示装置で採用したガンマ制御部の一例を示す図である。図５を参照すれば、ガンマ制御部２１０は、レジスタ部２１５、第１選択部２１６、第２選択部２１７を含み、光センサから出力される制御信号Ｃｓの伝達を受けてガンマ光制御部２１０からガンマ補正データに対応するガンマ補正信号ｇｄを出力する。
【００３８】
レジスタ部２１５は周辺光の明るさを複数の段階に分けて各段階に適用されるガンマ補正信号ｇｄに対応するガンマ補正データを格納する。このとき、レジスタ部は第１乃至第４レジスタ２１５ａ〜２１５ｄの４個のレジスタから構成され、第１レジスタ２１５ａは周辺光が最も暗い状態の場合に適用されるガンマ補正信号ｇｄに対応するガンマ補正データを格納し、第２レジスタ２１５ｂは周辺光がやや暗い状態の場合に適用されるガンマ補正信号ｇｄに対応するガンマ補正データを格納し、第３レジスタ２１５ｃは周辺光がやや明るい状態の場合に適用されるガンマ補正信号ｇｄに対応するガンマ補正データを格納し、第４レジスタ２１５ｄは周辺光が最も明るい状態の場合に適用されるガンマ補正信号ｇｄに対応するガンマ補正データを格納する。
【００３９】
第１選択部２１６は、レジスタ部の複数のレジスタのうち、変換処理部１５４から出力される制御信号Ｃｓに対応する１つのレジスタを選択してレジスタに格納されたガンマ補正データを出力させる。
【００４０】
第２選択部２１７は外部からオン、オフを調節する１ビットの設定値の入力を受け、「１」が選択されれば、前述したガンマ制御部２１０は動作を実施し、「０」が選択されれば、ガンマ制御部はオフ（ＯＦＦ）されて選択的に周辺光に応じて明るさを制御できる。
【００４１】
図６は、図２に示したガンマ補正回路部の一例を示す図である。図６を参照して説明すれば、ガンマ補正回路部５１０は、ラダー抵抗６１、振幅調節レジスタ６２、カーブ調節レジスタ６３、第１選択器６４〜第６選択器６９及び階調電圧増幅器７０を含んで動作する。
【００４２】
ラダー抵抗６１は、外部から供給される最上位レベル電圧ＶＨＩを基準電圧として定め、最下位レベル電圧ＶＬＯと基準電圧との間に含まれた複数の可変抵抗が直列に連結される構成からなっており、ラダー抵抗６１を通じて複数の階調電圧を生成する。また、ラダー抵抗６１の値を小さくする場合、振幅の調整範囲は狭くなるが、調整精度は向上する。その反面、ラダー抵抗６１の値を大きくする場合、振幅の調整範囲は広くなるが、調整精度は低くなる。
【００４３】
振幅調節レジスタ６２は、第１選択器６４に３ビットのレジスタ設定値を出力し、第２選択器６５に７ビットのレジスタ設定値を出力する。このとき、設定ビット数を増加させて選択できる階調数を増やすことができ、レジスタ設定値を変更して階調電圧を異なるように選択できる。
【００４４】
カーブ調節レジスタ６３は、第３選択器６６〜第６選択器６９のそれぞれに４ビットのレジスタ設定値を出力する。このとき、レジスタ設定値は変更されることができ、レジスタ設定値に応じて選択できる階調電圧を調節することができる。
【００４５】
レジスタ生成部２１５で生成されたレジスタ値のうち、最上位１０ビットは振幅調節レジスタ６２に入力され、下位１６ビットはカーブ調節レジスタ６３にそれぞれ入力されて、レジスタ設定値として選択される。
【００４６】
第１選択器６４は、ラダー抵抗６１を通じて分配された複数の階調電圧のうち、振幅調節レジスタ６２で設定された３ビットのレジスタ設定値に対応する階調電圧を選択して、それを最上位の階調電圧として出力する。
【００４７】
第２選択器６５は、ラダー抵抗６１を通じて分配された複数の階調電圧のうち、振幅調節レジスタ６２で設定された７ビットのレジスタ設定値に対応する階調電圧を選択して最下位の階調電圧として出力する。
【００４８】
第３選択器６６は、第１選択器６４から出力された階調電圧と、第２選択器６５から出力された階調電圧との間の電圧を複数の抵抗列を通じて複数の階調電圧に分配し、４ビットのレジスタ設定値に対応する階調電圧を選択して出力する。
【００４９】
第４選択器６７では、第１選択器６４から出力された階調電圧と、第３選択器６６から出力された階調電圧との間の電圧を複数の抵抗列を通じて分配し、４ビットのレジスタ設定値に対応する階調電圧を選択して出力する。
【００５０】
第５選択器３５では、第１選択器３１と第４選択器３４との間の階調電圧のうち、４ビットのレジスタ設定値に対応する階調電圧を選択して出力する。
【００５１】
第６選択器３６では、第１選択器３１と第５選択器３５との間の複数の階調電圧のうち、４ビットのレジスタ設定値に対応する階調電圧を選択して出力する。前記のような動作によりカーブ調整レジスタ６３のレジスタ設定値に応じて中間階調部のカーブ調整を可能にして、発光素子のそれぞれの特性に合せてガンマ特性を容易に調整できる。また、ガンマカーブ特性を下方に盛り上がるようにするためには、小さな階調を表示するほど各階調間の電位差が大きくなるように設定し、その反面、ガンマカーブ特性を上方に盛り上がるように調節するためには、小さな階調を表示するほど各階調間の電位差が小さくなるように各ラダー抵抗６１の抵抗値を設定すればよい。
【００５２】
階調電圧増幅器３７は、画素部１００に表示する複数の階調のそれぞれに対応する複数の階調電圧を出力する。図５では、６４階調分に対応する階調電圧の出力を示している。
【００５３】
前述した動作は、Ｒ、Ｇ、Ｂのそれぞれの発光素子の自体特性の変動を考慮して、Ｒ，Ｇ、Ｂがほぼ同一な輝度特性を得るように、Ｒ、Ｇ、Ｂグループ毎にガンマ補正回路を設けてカーブ調節レジスタ６３及び振幅調節レジスタ６２を通じた振幅及びカーブをＲ、Ｇ、Ｂ毎に互いに異なるように設定できる。
【００５４】
図７は、図２の制御部に採用された発光制御部の一例を示す図である。図７を参照して説明すれば、発光制御部２２０は、画素部の発光率に応じてその明るさを制御する役割を果たす。発光制御部２２０は、データ加算部２２１、ルックアップテーブル２２２及び輝度制御駆動部２２３を含む。
【００５５】
データ加算部２２１は、１フレームの間に発光する画素５０のそれぞれに入力されたビデオデータを加算した値であるフレームデータに対する大きさを把握する。すなわち、１フレームの間に発光する複数の画素１１０のそれぞれに入力されるビデオデータを加算して、それをフレームデータとし、フレームデータの大きさが大きければ画素部１００の発光率が高いか、高階調の画像を表示する画素１１０が多いことを意味する。すなわち、フレームデータの大きさが大きければ画素部１００全体に流れる電流の量が多いことを意味するため、フレームデータの大きさが所定の値以上であれば、画素部１００の輝度を制御して画素部１００全体の明るさを減少させる。そして、画素部１００の明るさが減少する場合に発光する画素１１０は高い輝度を有するようになり、発光しない画素１１０との輝度差が大きい状態、すなわちコントラスト比の大きい状態を維持する。一方、画素部１００の明るさが減少しない場合には、発光する画素１１０の発光時間が長く維持されることで、その輝度が高くなり、それにより発光する画素１１０と発光しない画素１１０とのコントラスト比が大きくなる。すなわち、発光する画素１１０と発光しない画素１１０とのコントラスト比が大きくなることで、画像がさらに鮮明に見えることもある。
【００５６】
ルックアップテーブル２２２は、フレームデータの上位５ビット値に対応する発光制御信号の発光区間と非発光区間の比率に関する情報を格納している。ルックアップテーブル２２２に格納された情報を用いて、１フレームの間に発光する画素部１００の明るさを把握することができる。
【００５７】
輝度制御駆動部２２３は、画素部１００のフレームデータの大きさが所定の大きさ以上になれば、輝度制御信号を出力し、出力された輝度制御信号に対応して画素部１００に入力される発光制御信号の発光区間と非発光区間の比率を調節する。このとき、画素部１００の輝度の増加に比例して、輝度の制御比率が増加し続ければ、画素部１００の輝度が非常に高くなる場合、過度な輝度制御によって十分に明るい画面を提供できなくなり、これは単に全体的な明るさを低下させるという結果をもたらす。従って、輝度の最大制御範囲を設定して、画素部１００全体の明るさを適当に調節する。
【００５８】
図８は、図２に示した色座標制御部の構造を示す構造図である。図８を参照して説明すれば、色座標制御部２３０は、演算部２３１、輝度ルックアップテーブル２３２及び彩度ルックアップテーブル２３３を含む。色座標制御部２３０は、光センサ１５０から制御信号Ｃｓの伝達を受けて周辺光に対応して動作し、周辺光の強度が最も明るい段階に設定された場合に動作して色座標を補正してデータ信号を補正する。このとき、ガンマ制御部で補正されるガンマ値は第４レジスタにより設定され得る。
【００５９】
演算部２３１は、周辺光の強度に対応して輝度ルックアップテーブルと彩度ルックアップテーブルを通じて把握された色座標の範囲を用いてデータ信号の色座標を変更し、変更された色座標に対応するデータ信号を生成する。演算部２３１は所定のアルゴリズムに応じて色座標を変更する。
【００６０】
輝度ルックアップテーブル２３２は、輝度情報に関するルックアップテーブルであり彩度ルックアップテーブル２３３はカラー情報を有しているルックアップテーブルであり、輝度ルックアップテーブル２３２と彩度ルックアップテーブル２３３は被実験者が観察した結果により求める。すなわち、被実験者が画像を見ながら色座標を変更して視覚的に最も容易な状態を把握して輝度ルックアップテーブル２３２と彩度ルックアップテーブル２３３を生成する。そして、前記のように生成された輝度ルックアップテーブル２３２と彩度ルックアップテーブル２３３を用いてデータ信号の補正値を把握する。
【００６１】
図９は、図８に示した色座標制御部に採用されたアルゴリズムを示す順序図である。図９を参照して説明すれば、アルゴリズムは入力されるＲ、Ｇ、Ｂデータと周辺光に対応してＲ、Ｇ、Ｂの色座標を修正して視認性を高める方法である。
【００６２】
第１段階ＳＴ１００は、入力されるＲ、Ｇ、Ｂデータ値と周辺光に対応して修正される色座標の変更範囲を把握する段階である。色座標は輝度に対する座標と彩度に対する座標を含み、周辺光に強度に応じて輝度の変換範囲と彩度の変換範囲を把握する。繰り返し説明すれば、例えば赤色が輝度と彩度の変化により他の色に変換されても周辺光により赤色と判断され得る範囲を把握する。
【００６３】
第２段階（ＳＴ２００）は、既に設定された輝度ルックアップテーブルと彩度ルックアップテーブルを用いて輝度と彩度を変換させて色座標を変化させる段階である。色座標の変更によってＲ、Ｇ、Ｂデータが変換されてＲ、Ｇ、Ｂデータの輝度値と彩度値が変換されて視認性が容易になる。ここで、ガンマ補正はデータ信号の変化なしに階調電圧を調節させることであるが、本発明のアルゴリズムはデータ信号を変化させるのにその差がある。
【００６４】
図１０は、図２の発光表示装置に採用された画素の一例を示す回路図である。図１０を参照して説明すれば、画素１１０は発光素子ＯＬＥＤ及び画素回路を含む。画素回路は、第１トランジスタＭ１、第２トランジスタＭ２、第３トランジスタＭ３及びストレージキャパシタＣｓｔを含む。そして、第１トランジスタＭ１、第２トランジスタＭ２及び第３トランジスタＭ３は、それぞれゲート、ソース及びドレインを有し、ストレージキャパシタＣｓｔは第１電極と第２電極を有する。
【００６５】
第１トランジスタＭ１はソースが第１電源ＥＬＶｄｄと連結され、ドレインが第２トランジスタＭ２のソースに連結され、ゲートが第１ノードＡと連結される。第１ノードＡは第３トランジスタＭ３のドレインと連結される。第１トランジスタＭ１は、データ信号に対応する電流を発光素子ＯＬＥＤに供給する機能を行う。
【００６６】
第２トランジスタＭ２は、ソースが第１トランジスタＭ１のドレインと連結され、ドレインは発光素子ＯＬＥＤのアノード電極に連結され、ゲートが発光制御線Ｅｎに連結されて発光制御信号に応答する。従って、発光制御信号に応じて第１トランジスタＭ１から発光素子ＯＬＥＤに流れる電流の流れを制御して発光素子ＯＬＥＤの発光を制御する。
【００６７】
第３トランジスタＭ３はソースがデータ線Ｄｍに連結され、ドレインが第１ノードＡと連結され、ゲートは走査線Ｓｎと連結される。そして、ゲートに印加される走査信号に応じてデータ信号を第１ノードＡに伝達する。
【００６８】
ストレージキャパシタＣｓｔは第１電極が第１電源ＥＬＶｄｄと連結され、第２電極が第１ノードＡに連結される。そして、データ信号による電荷を充電し、充電された電荷により１フレームの間に第１トランジスタＭ１のゲートに信号を印加し、第１トランジスタＭ１の動作を１フレーム間維持させる。
【００６９】
なお、本発明は、上記した実施の形態に限定されるものではなく、本発明に係る技術的思想の範囲から逸脱しない範囲内で様々な変更が可能であり、それらも本発明の技術的範囲に属する。
【図面の簡単な説明】
【００７０】
【図１】従来技術に係る有機電界発光表示装置の構造を示す図である。
【図２】本発明に係る有機電界発光表示装置の構造を示す構造図である。
【図３】本発明に係る有機電界発光表示装置で採用した光センサの一例を示す図である。
【図４】光センサに採用されたＡ／Ｄ変換器の一例を示す図である。
【図５】本発明に係る有機電界発光表示装置で採用したガンマ制御部の一例を示す図である。
【図６】図２に示したガンマ補正回路部の一例を示す図である。
【図７】図２の制御部に採用された発光制御部の一例を示す図である。
【図８】図２に示した色座標制御部の構造を示す構造図である。
【図９】図８に示した色座標制御部に採用された野外視認性アルゴリズムを示す順序図である。
【図１０】図２の有機電界発光表示装置に採用された画素の一例を示す回路図である。
【符号の説明】
【００７１】
１００；画素部
１５０；光センサ
２００；制御部
３００；電源供給部
４００；走査駆動部
５００；データ駆動部
【図１】
2008209886.tif 000003
【図２】
2008209886.tif 000004
【図３】
2008209886.tif 000005
【図４】
2008209886.tif 000006
【図５】
2008209886.tif 000007
【図６】
2008209886.tif 000008
【図７】
2008209886.tif 000009
【図８】
2008209886.tif 000010
【図９】
2008209886.tif 000011
【図１０】
2008209886.tif 000012